(57)【特許請求の範囲】
【請求項１】
画像読取のために所定方向へ走行する走査ユニットと、
前記走査ユニットの走行方向に沿って延出してこの走行方向と直交する方向の両側に平行に配置された一対のガイド部材と、
前記走査ユニットに取り付けられて前記ガイド部材の上面部に摺動自在に当接する摺接部材と、
少なくとも一方の前記ガイド部材の上面部に摺動自在に当接する前記摺接部材の摺接箇所に形成されたＶ字形摺接面部と、
前記Ｖ字形摺接面部が形成された前記摺接部材に、前記ガイド部材の側面部に摺動自在に当接する平面部と、
を有する走査ユニットの取付構造。
【請求項２】
他方の前記ガイド部材に摺動自在に当接する前記摺接部材の摺接箇所が平面状摺接面部とされている請求項１記載の走査ユニットの取付構造。
【請求項３】
前記走査ユニットとして２：１の速度で走行する第１走査ユニットと第２走査ユニットとが設けられ、これらの第１走査ユニットと第２走査ユニットとが、前記第２走査ユニットに取り付けられた一対のプーリ間に張設され、一箇所がベース部材に固定され、他の一箇所に前記第１走査ユニットが固定されたループ状ベルトで連結されていることを特徴とする請求項１又は２記載の走査ユニットの取付構造。
【発明の詳細な説明】
【０００１】
【発明の属する技術分野】
本発明は、駆動機構により駆動されて走行しつつ画像を走査する走査ユニットの取付構造に関する。
【０００２】
【従来の技術】
従来、複写機などの画像形成装置においては、光源とミラーとが取り付けられて読み取るべき原稿と平行に走行する第１走査ユニットと、２枚のミラーが取り付けられて第１走査ユニットの１／２の速度で走行する第２走査ユニットとが設けられている。
【０００３】
このような第１走査ユニットと第２走査ユニットとの取付構造としては、これらの走査ユニットの走行方向に延出するロッドを設け、第１走査ユニットと第２走査ユニットとに軸受を備えた摺動穴部を形成し、この摺動穴部にロッドを差し込んでいる。
【０００４】
【発明が解決しようとする課題】
従って、走査ユニットをロッドに取り付ける作業が煩雑で、画像形成装置の組立作業に手間がかかっている。
【０００５】
そこで本発明は、走査ユニットのガイド部材への取付構造を簡略化し、走査ユニットのガイド部材への取り付けを手間をかけず容易に行うことができる走査ユニットの取付構造を提供することを目的とする。
【０００６】
【課題を解決するための手段】
請求項１記載の発明の走査ユニットの取付構造は、画像読取のために所定方向へ走行する走査ユニットと、前記走査ユニットの走行方向に沿って延出してこの走行方向と直交する方向の両側に平行に配置された一対のガイド部材と、前記走査ユニットに取り付けられて前記ガイド部材の上面部に摺動自在に当接する摺接部材と、少なくとも一方の前記ガイド部材の上面部に摺動自在に当接する前記摺接部材の摺接箇所に形成されたＶ字形摺接面部と、前記Ｖ字形摺接面部が形成された前記摺接部材に、前記ガイド部材の側面部に摺動自在に当接する平面部と、を有する。
【０００７】
従って、ガイド部材への走査ユニットの取り付けは、摺接部材のＶ字形摺接面部がガイド部材の上面部に嵌合するように載置するだけでよく、ガイド部材への走査ユニットの取付構造が簡単になるとともに手間をかけず容易に取り付けることができる。しかも、摺接部材に形成したＶ字形摺接面部がガイド部材の上面部に嵌合することにより、走査ユニットがガイド部材に沿ってスムーズに走行する。また、摺接部材に形成した平面部がガイド部材の側面部に摺動自在に当接することにより、運搬時の衝撃などによって走査ユニットがガイド部材から脱落することが防止される。また、摺接部材に形成した平面部を、Ｖ字形摺接面部をガイド部材に嵌合させるときの位置決め用として利用することができ、走査ユニットのガイド部材への取り付けをより一層容易に行える。
【００１０】
請求項２記載の発明は、請求項１記載の発明において、他方の前記ガイド部材に摺動自在に当接する前記摺接部材の摺接箇所が平面状摺接面部とされている。
【００１１】
従って、走査ユニットを走行させるとき、平面状摺接面部をガイド部材に摺接させた摺接部材は、Ｖ字形摺接面部をガイド部材に嵌合させて摺動する摺接部材の動きに従動するだけであり、走査ユニットの走行時においてびびりやがたつきを生ずることなく走査ユニットがスムーズに走行する。
【００１２】
請求項３記載の発明は、請求項１又は２記載の発明において、前記走査ユニットとして２：１の速度で走行する第１走査ユニットと第２走査ユニットとが設けられ、これらの第１走査ユニットと第２走査ユニットとが、前記第２走査ユニットに取り付けられた一対のプーリ間に張設され、一箇所がベース部材に固定され、他の一箇所に前記第１走査ユニットが固定されたループ状ベルトで連結されている。
【００１３】
従って、第１走査ユニットと第２走査ユニットとがループ状ベルトで連結されることにより、これらの第１走査ユニット及び第２走査ユニットのガイド部材への取付構造が請求項１ないし３で説明したように載置するだけの簡単なものであっても、振動や衝撃を受けたときに第１走査ユニットと第２走査ユニットとが位置ずれすることが防止され、画像読取の精度が安定する。
【００１４】
【発明の実施の形態】
本発明の第一の実施の形態を図１ないし図５に基づいて説明する。図１は、複写機の全体構造の概略を示す縦断正面図である。本体ケース１内の略中央部には感光体２が配置され、この感光体２の周囲には、感光体２の表面を一様に帯電させる帯電器３、後述する画像読取機構で読み取られて感光体２の表面に書き込まれた静電潜像をトナー像として顕像化する現像器４、顕像化されたトナー像を給紙カセット５内から給紙された用紙６に転写させる転写器７、トナー像が転写された用紙６を感光体２から分離させる分離器８、感光体２の表面に付着している残留トナーを除去するクリーニング器９等が配置されている。用紙６に転写されたトナー像は定着器１０において定着され、トナー像を定着された用紙６は排紙トレイ１１上に排紙される。
【００１５】
本体ケース１の上部には画像読取ケース１２が固定され、画像読取ケース１２の上端部には原稿が載置されるコンタクトガラス１３が取り付けられている。画像読取ケース１２内には、コンタクトガラス１３上に載置された原稿の画像を読み取る画像読取機構１４が設けられている。この画像読取機構１４は、走査ユニットである第１走査ユニット１５、走査ユニットである第２走査ユニット１６、第１走査ユニット１５と第２走査ユニット１６とを所定方向へ走行させる駆動モータ（図示せず）などにより構成されている。
【００１６】
第１走査ユニット１５には、コンタクトガラス１３上の原稿を照射する円柱状の光源１７と、原稿からの反射光を反射させるミラー１８とが取り付けられている。第２走査ユニット１６には、ミラー１８で反射された反射光をさらに反射させるミラー１９，２０が取り付けられている。ミラー１８，１９，２０で反射された反射光は、結像レンズ２１を通過した後にミラー２２で反射され、感光体２の表面を露光して静電潜像を形成する。
【００１７】
図２は、第１走査ユニット１５と第２走査ユニット１６との取付構造を示す斜視図である。画像読取ケース１２内には、第１走査ユニット１５と第２走査ユニット１６との走行方向に沿って延出し、この走行方向と直交する方向の両側に平行に一対のガイド部材が配置されている。一方のガイド部材は断面形状が略Ｃ字形に形成されたリニアボール転がりスライドレール２３であり、他方のガイド部材は断面形状が略コの字形に形成されたスライドレール２４である。これらの第１走査ユニット１５と第２走査ユニット１６とは後述する差動装置により連結され、同一方向へ２：１の速度で走行する。
【００１８】
第１走査ユニット１５におけるリニアボール転がりスライドレール２３に対向する側は、このリニアボール転がりスライドレール２３に対して摺動自在に取り付けられている。第１走査ユニット１５のスライドレール２４に対向する側には、摺動性の良いシュー（図示せず）が固定され、このシューがスライドレール２４の第１の上面部２４ａに摺動自在に摺接されている。この第１走査ユニット１５には、駆動モータにより駆動される動力伝達ベルト（図示せず）が連結され、駆動モータの駆動に伴ない第１走査ユニット１５がリニアボール転がりスライドレール２３及びスライドレール２４の延出方向に沿って往復摺動する。
【００１９】
第２走査ユニット１６におけるリニアボール転がりスライドレール２３に対向する側には、摺接部材である一対のシュー２５，２６が接着固定されている。これらのシュー２５，２６の下面にはＶ字形摺接面部２７が形成され、このＶ字形摺接面部２７がリニアボール転がりスライドレール２３の上面部２３ａに嵌合している。さらに、シュー２５，２６には、リニアボール転がりスライドレール２３の側面部２３ｂに摺動自在に当接する平面部２８が形成されている。
【００２０】
第２走査ユニット１６におけるスライドレール２４に対向する側には、摺接部材であるシュー２９が接着固定されている。このシュー２９の下面には平面状摺接面部３０が形成され、この平面状摺接面部３０はスライドレール２４の第２の上面部２４ｂに摺動自在に摺接されている。
【００２１】
リニアボール転がりスライドレール２３の内側には、リニアボール転がりスライドレール２３の内周面に回転自在に当接して移動自在な複数個のボール３１と、リニアボール転がりスライドレール２３の内側に配置されてこれらのボール３１を回転自在に保持するとともにリニアボール転がりスライドレール２３の長手方向に沿って移動自在なインナーレール３２と、インナーレール３２の内側に配置されてボール３１に摺接しつつリニアボール転がりスライドレール２３の長手方向に沿って移動自在なインナーメンバ（図示せず）とが配置され、これらのリニアボール転がりスライドレール２３、ボール３１、インナーレール３２、インナーメンバ等により第１走査ユニット１５と第２走査ユニット１６とを２：１の速度で走行させるための差動装置が構成されている。なお、インナーメンバには第１走査ユニット１５と動力伝達ベルトとが固定され、インナーレール３２にはブラケット３３を介して第２走査ユニット１６がネジ３４で固定されている。
【００２２】
このような構成において、第２走査ユニット１６のリニアボール転がりスライドレール２３とスライドレール２４とへの取り付けは、第２走査ユニット１６のシュー２９側をスライドレール２４の内側へ差し込み、ついで、第２走査ユニット１６のシュー２５，２６側を上方から降ろすことにより行う。これにより、シュー２９の平面状摺接面部３０がスライドレール２４の第２の上面部２４ｂに摺接し、シュー２５，２６のＶ字形摺接面部２７がリニアボール転がりスライドレール２３の上面部２３ｂに嵌合とともにシュー２５，２６の平面部２８がリニアボール転がりスライドレール２３の側面部２３ｂに当接する。最後に、ネジ３４により第２走査ユニット１６をブラケット３３に固定する。
【００２３】
従って、リニアボール転がりスライドレール２３とスライドレール２４とへの第２走査ユニット１６の取付構造が簡単になり、手間をかけず容易に取り付けることができる。しかも、Ｖ字形摺接面部２７をリニアボール転がりスライドレール２３の上面部２３ａに嵌合させるときの位置決め用としてシュー２５，２６に形成した平面部２８を用いることができ、第２走査ユニット１６の取り付けをより一層容易に行える。
【００２４】
第２走査ユニット１６を取り付けた後に第１走査ユニット１５をリニアボール転がりスライドレール２３とスライドレール２４とに取り付け、さらに、第１走査ユニット１５に動力伝達ベルトを連結して第１走査ユニット１５と第２走査ユニット１６とを走行させ、原稿を走査させる。
【００２５】
第２走査ユニット１６の走行に関して、シュー２５，２６に形成したＶ字形摺接面部２７がリニアボール転がりスライドレール２３の上面部２３ａに摺接しつつスライドするため、第２走査ユニット１６はリニアボール転がりスライドレール２３に沿ってスムーズに走行する。
【００２６】
また、第２走査ユニット１６の走行時において、シュー２９の平面状摺接面部３０は、Ｖ字形摺接面部２７をリニアボール転がりスライドレール２３に嵌合摺接させて摺動するシュー２５，２６の動きに従動するだけであり、第２走査ユニット１６はびびりやがたつきを生ずることなくスムーズに走行する。
【００２７】
シュー２５，２６に形成された平面部２８がリニアボール転がりスライドレール２３の側面部２３ｂに当接されていることにより、複写機に様々な衝撃、例えば、運搬時の衝撃などが生じても、第２走査ユニット１６がリニアボール転がりスライドレール２３から脱落することが防止される。
【００２８】
なお、本実施の形態においては、Ｖ字形摺接面部２７や平面部２８を形成したシュー２５，２６を第２走査ユニット１６にのみ設けた場合を例に挙げて説明したが、同様のシューを第１走査ユニット１５に設けてもよい。それにより、第１走査ユニット１５の取付構造も簡単になるとともに手間をかけることに容易に取り付けることができる。
【００２９】
つぎに、本発明の第二の実施の形態を図６ないし図８に基づいて説明する。なお、図１ないし図５において説明した部分と同じ部分は同じ符号で示し、説明も省略する。本実施の形態は、第１走査ユニット１５と第２走査ユニット１６とを２：１の速度で走行させるための差動装置の詳細、及び、輸送時などに振動や衝撃を受けた場合で第１走査ユニット１５と第２走査ユニット１６とが位置ずれすることを防止する機構について説明するものであり、第２走査ユニット１６の取付を容易にするためにＶ字形摺接面部２７や平面部２８を形成したシュー２５，２６を用いている点は、第一の実施の形態と同じである。
【００３０】
第一の実施の形態において説明したように、リニアボール転がりスライドレール２３の内側には、複数個のボール３１と、インナーレール３２と、インナーレール３２の内側に配置されてボール３１に摺接しつつリニアボール転がりスライドレール２３の長手方向に沿って移動自在なインナーメンバ３５とが配置され、これらのリニアボール転がりスライドレール２３、ボール３１、インナーレール３２、インナーメンバ３５等により第１走査ユニット１５と第２走査ユニット１６とを２：１の速度で走行させるための差動装置が構成されている。なお、インナーメンバ３５にはブラケット３６が固定され、このブラケット３６に第１走査ユニット１５の一端と駆動モータに連結された動力伝達ベルト３７（図７，図８参照）とが固定されている。インナーレール３２にはブラケット３３が固定され、このブラケット３３に第２走査ユニット１６がネジ３４で固定されている。
【００３１】
第２走査ユニット１６におけるシュー２５，２６が取り付けられている側の一側には、一対のプーリ３８，３９が取り付けられており、これらのプーリ３８，３９間にループ状ベルト４０が張設されている。このループ状ベルト４０の一箇所は、画像読取ケース１２に立設されたベース部材である突起４１にクランプ固定され、さらに、ループ状ベルト３９の他の一箇所は第１走査ユニット１５にクランプ固定されている。ここで、このような構造のループ状ベルト４０は、第１走査ユニット１５と第２走査ユニット１６とを２：１の速度で走行させる差動装置として機能するとともに、第１走査ユニット１５と第２走査ユニット１６との位置ずれを防止する機能を有する。
【００３２】
このような構成において、第１走査ユニットと第２走査ユニットとを２：１の速度で走行させるために、ボール３１やインナーレール３２等からなる差動装置のほかにループ状ベルト４０を用いた差動装置を設けたことにより、第１走査ユニットと第２走査ユニットとを２：１の速度で走行させる精度が高くなるとともに、複写機を運搬する時などに振動や衝撃を受けても第１走査ユニット１５と第２走査ユニット１６とが位置ずれせず、画像読取の精度が安定する。
【００３３】
なお、本実施の形態においては、ボール３１やインナーレール３２等からなる差動装置とループ状ベルト４０を用いた差動装置とを用いた場合について説明したが、ボール３１やインナーレール３２等からなる差動装置に代えて、第１走査ユニット１５と第２走査ユニット１６とをガイド部材（リニアボール転がりスライドレール２３及びスライドレール２４）の方向へスムーズに移動させることができる機構を設けてもよい。
【００３４】
【発明の効果】
請求項１記載の発明によれば、走査ユニットに取り付けられてガイド部材に摺動自在に当接する摺接部材に、ガイド部材の上面部に嵌合するＶ字形摺接面部を形成したので、走査ユニットのガイド部材への取り付けを、摺接部材のＶ字形摺接面部がガイド部材の上面部に嵌合するように載置するだけでよく、走査ユニットのガイド部材の取付構造を簡単にすることができるとともにその取り付けを手間をかけず容易に行うことができる。しかも、摺接部材に形成したＶ字形摺接面部がガイド部材の上面部に嵌合することにより、走査ユニットをガイド部材に沿ってスムーズに走行させることができ、画像の走査性能を向上させることができる。また、Ｖ字形摺接面部が形成された摺接部材にガイド部材の側面部に摺動自在に当接する平面部が形成されているので、この平面部がガイド部材の側面部に摺動自在に当接していることにより、運搬時の衝撃などによって走査ユニットがガイド部材から脱落することを防止することができる。さらに、Ｖ字形摺接面部をガイド部材に嵌合させるときの位置決め用として平面部を利用することができ、走査ユニットのガイド部材への取り付けをより一層容易に行うことができる。
【００３６】
請求項２記載の発明によれば、請求項１記載の発明において、他方のガイド部材に摺動自在に当接する摺接部材の摺接箇所が平面状摺接面部とされているので、走査ユニットを走行させるとき、平面状摺接面部をガイド部材に摺接させた摺接部材は、Ｖ字形摺接面部をガイド部材に嵌合させて摺動する摺接部材の動きに従動するだけとなり、走査ユニットの走行時においてびびりやがたつきを生ずることなく走査ユニットをスムーズに走行させることができる。
【００３７】
請求項３記載の発明によれば、請求項又は２記載の発明において、走査ユニットとして２：１の速度で走行する第１走査ユニットと第２走査ユニットとが設けられ、これらの第１走査ユニットと第２走査ユニットとが、第２走査ユニットに取り付けられた一対のプーリ間に張設され、一箇所がベース部材に固定され、他の一箇所に前記第１走査ユニットが固定されたループ状ベルトで連結されているので、これらの第１走査ユニット及び第２走査ユニットのガイド部材への取付構造が請求項１ないし２で説明したように載置するだけの簡単なものであっても、運搬時などに振動や衝撃を受けても第１走査ユニットと第２走査ユニットとが位置ずれすることを防止でき、画像読取の精度を安定させることができる。
【図面の簡単な説明】
【図１】本発明の第一の実施の形態における複写機の全体構造の概略を示す縦断正面図である。
【図２】第１走査ユニットと第２走査ユニットとの取付構造を示す斜視図である。
【図３】第２走査ユニットを示す斜視図である。
【図４】第２走査ユニットの取付構造を示す縦断正面図である。
【図５】Ｖ字形摺接面部を形成したシューを示す斜視図である。
【図６】本発明の第二の実施の形態における第２走査ユニットの取付構造及びボール及びインナーレール等からなる差動装置を示す分解斜視図である。
【図７】ボール及びインナーレール等からなる差動装置を示す側面図である。
【図８】ループ状ベルトを用いた差動装置を説明する模式図である。
【符号の説明】
１５      走査ユニット、第１走査ユニット
１６      走査ユニット、第２走査ユニット
２３      一方のガイド部材
２３ａ    上面部
２３ｂ    側面部
２４      他方のガイド部材
２４ｂ    上面部
２５，２６  摺接部材
２７      Ｖ字形摺接面部
２８      平面部
２９      摺接部材
３０      平面状摺接面部
３８，３９  プーリ
４０      ループ状ベルト
４１      ベース部材
【図１】
0003730430.tif 000002
【図２】
0003730430.tif 000003
【図３】
0003730430.tif 000004
【図４】
0003730430.tif 000005
【図５】
0003730430.tif 000006
【図６】
0003730430.tif 000007
【図７】
0003730430.tif 000008
【図８】
0003730430.tif 000009